【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
フィンを取り付けるための複合型フィンプラグ装具において、
フィンのベース部分を受け入れるフィンキャビティを少なくとも一つ設けたフィンプラグであって、そのフィンキャビティを囲む上面を有するプラスチック製の前記フィンプラグであり、
このフィンプラグが、
前記上面に設けた少なくとも一つの開口部から内部に伸びた少なくとも一つのフィンキャビティと、  前記上面に設けた少なくとも一つの凹部すなわち穴とを備え、そして、
前記上面に設けた前記少なくとも一つの凹部すなわち穴の中に配置し且つ前記凹部すなわち穴と結合する発泡体材料を備えたことを特徴とする複合型フィンプラグ装具。
【請求項２】
前記複合型フィンプラグ装具がウォータークラフトに装着される使用時に、このウォータークラフトを覆うガラス層に接着するための表面を形成するために、前記上面の中で発泡体材料が適合される請求項１に記載の複合型フィンプラグ装具。
【請求項３】
前記上面に前記穴を複数設けたフィンプラグであり、複数の前記穴の少なくとも一部に前記発泡体材料を位置付けて、前記発泡体材料を含めて前記上面を構成した前記フィンプラグを有する請求項１あるいは２に記載の複合型フィンプラグ装具。
【請求項４】
前記フィンプラグの前記上面の下にある発泡体本体部分と一体に構成された前記発泡体材料を、少なくとも一部の前記穴内に配置する請求項１乃至３のいずれか１項に記載の複合型フィンプラグ装具。
【請求項５】
前記フィンプラグを構成するベース部位を概ね取り囲む前記発泡体本体部分を含み、前記上面から下方に向けて延在する前記ベース部位であり、このベース部位が少なくとも一つの前記フィンキャビティを概ね包含する請求項４に記載の複合型フィンプラグ装具。
【請求項６】
前記発泡体本体部分の周りに延在する側壁を有する請求項４あるいは５に記載の複合型フィンプラグ装具。
【請求項７】
前記発泡体本体部分の側壁が、前記上面の外周と概ね連続した形状である請求項４乃至６のいずれか１項に記載の複合型フィンプラグ装具。
【請求項８】
前記フィンプラグの前記上面から前記フィンプラグのベース部位の最下端面までの距離と概ね等しい厚さを有する前記発泡体本体部分である請求項５乃至７のいずれか１項に記載の複合型フィンプラグ装具。
【請求項９】
前記上面に設けた前記少なくとも一つの凹部すなわち穴の中に配置した前記発泡体材料が、前記上面と概ね同一平面の高さまで配置される請求項１乃至８のいずれか１項に記載の複合型フィンプラグ装具。
【請求項１０】
前記上面に設けた前記少なくとも一つの凹部すなわち穴の中に配置した前記発泡体材料は、前記上面を横断する方向で繋がり、さらに前記フィンプラグに設けた前記フィンキャビティの前記開口部の周りを取り囲み且つ隣接した凸状隆起部分からオフセットされている請求項１乃至８のいずれか１項に記載の複合型フィンプラグ装具。
【請求項１１】
前記上面の少なくとも一部分が、複数の前記穴で格子状に形成された請求項３乃至１０のいずれか１項に記載の複合型フィンプラグ装具。
【請求項１２】
前記フィンの２つのベース部分を受け入れる２つのフィンキャビティを前記フィンプラグに設けて、前記上面に設けた２つの開口部から内部に向けて延在する前記フィンキャビティであり、前記フィンプラグのベース部位の中に向けて下方に延びた前記フィンキャビティである請求項１乃至１１のいずれか１項に記載の複合型フィンプラグ装具。
【請求項１３】
前記穴が約０．５ｃｍまでの長さである請求項１乃至１２のいずれか１項に記載の複合型フィンプラグ装具。
【請求項１４】
前記フィンプラグに設けた前記フィンキャビティの前記開口部に隣接するフランジ部分で画定した前記上面である請求項１乃至１２のいずれか１項に記載の複合型フィンプラグ装具。
【請求項１５】
少なくとも一つの開口部すなわち窪み部がベース部位に向けて下方に延在し、且つ、前記ベース部位が少なくとも一つの前記フィンキャビティを概ね包含する請求項１乃至３のいずれか１項に記載の複合型フィンプラグ装具。
【請求項１６】
前記発泡体材料が、前記フィンキャビティを概ね取り囲み且つ前記ベース部位に充填する請求項１５に記載の複合型フィンプラグ装具。
【請求項１７】
前記穴が約２ｃｍまでの長さである請求項１５あるいは１６に記載の複合型フィンプラグ装具。
【請求項１８】
請求項１〜１７のいずれか１項に記載の複合型フィンプラグ装具をウォータークラフトに装着する方法であって、
前記複合型フィンプラグ装具を供給する工程、
前記フィンキャビティの中に流体が入ることを防ぐ材料で、前記フィンプラグの各フィンキャビティを保護および塞ぐ工程、
ウォータークラフトのブランク材を供給する工程、
前記ウォータークラフトのブランク材の中の前記複合型フィンプラグ装具を所望の位置に応じて前記ウォータークラフトのブランク材の裏面に位置の印付けを行う工程、
前記複合型フィンプラグ装具の受け入れに適応可能なフィンプラグ用のくぼみ穴であって、前記ウォータークラフトのブランク材の裏面に前記フィンプラグ用のくぼみ穴をくり抜く工程、
前記フィンプラグ用のくぼみ穴の形成面と前記複合型フィンプラグ装具のその対応面との間に樹脂材料層を設けるために十分な量の樹脂材料を前記フィンプラグ用のくぼみ穴に注入する工程、
前記複合型フィンプラグ装具の前記上面が、前記ウォータークラフトのブランク材の裏面や前記フィンプラグ用のくぼみ穴を開けた所と、概ね同じ高さになるように前記複合型フィンプラグ装具を前記フィンプラグ用のくぼみ穴に挿入する工程、
前記複合型フィンプラグ装具の少なくとも一つのフィンキャビティの中に装着治具の一つ以上のタブを挿入することで前記複合型フィンプラグ装具にこの装着治具を接続する工程、
前記フィンの所望の傾斜角度および先端角度（つま先角度）を調節する工程、
前記フィンの所望の傾斜角度および先端角度の所望の向きに前記装着治具を固定する工程、
樹脂材料の硬化後、前記装着冶具を取り外す工程、
前記複合型フィンプラグ装具の前記上面の上側を含み、前記ウォータークラフトのブランク材の外側面に樹脂材料の被覆およびガラス繊維層を設ける工程、
前記ウォータークラフトの外表面に必要なサンダー仕上げを行う工程、
前記保護および塞いだ前記フィンキャビティの夫々の部分も含めて、前記フィンプラグ用のくぼみ穴を開けた所の夫々の上にある樹脂材料やガラス繊維層を除去する工程、
を有する装着する方法。
【請求項１９】
ウォータークラフトのための複合型フィンプラグ装具において、
上面、および、フィンのベース部分を受け入れるための少なくとも一つのフィンキャビティを有するフィンプラグであって、この上面に在る少なくとも一つの開口部から内向きに延在する前記フィンキャビティを有する前記フィンプラグと、
前記上面に重なる第１発泡体層であり、前記第１発泡体層が、前記少なくとも一つのフィンキャビティと整合する穿孔を少なくとも一つ含み、且つ、前記少なくとも一つのフィンキャビティのために開口しており、そして、
前記上面の少なくとも一部の下に置かれる第２発泡体層を有し、前記第１発泡体層が前記上面に結合することを特徴とする複合型フィンプラグ装具。
【請求項２０】
ウォータークラフトのための複合型フィンプラグ装具において、
この装具が、上面の周りの外周面と共に前記上面を有し、およびフィンのベース部分を受け入れるための、少なくとも一つのフィンキャビティを有し、
このフィンキャビティがこの上面の少なくとも一つの開口部から内向きに延在し、
発泡体本体部分が、フィンプラグを位置付けるために前記フィンプラグに対応するフィンキャビティを有し、
前記複合型フィンプラグ装具を構成するために、このフィンプラグの外周面の周りに延在する上部周辺リッジを有する前記発泡体本体部分であり、
前記発泡体本体部分の前記上部周辺リッジが、前記フィンプラグの外周面に結合することを特徴とする複合型フィンプラグ装具。
【請求項２１】
請求項２０に記載の装具において、
さらに、前記上面に重なり且つ結合する発泡体層を有し、この発泡体層が、前記少なくとも一つのフィンキャビティと整合する穿孔を少なくとも一つ含み、且つ、前記少なくとも一つのフィンキャビティのために開口しており、そして、
前記複合型フィンプラグ装具が、ウォータークラフトに装着される使用時に前記ウォータークラフトを覆うガラス層に接着するための表面を形成するために、前記上面に重ね且つ結合する発泡体層を構成する装具。